(57)【特許請求の範囲】
【請求項１】
被験者の頭部に装着して用いられる聴覚検査用ヘッドホンであって、被験者の耳部に装着される気導受話器、骨導受話器と、これらの受話器を被験者の頭部に装着するためのヘッドバンドを備え、前記ヘッドバンドと前記骨導受話器の連結部に振動吸収体を介在させて連結したことを特徴とする聴覚検査用ヘッドホン。
【請求項２】
請求項１に記載の聴覚検査用ヘッドホンにおいて、前記ヘッドバンドと骨導受話器の連結部は、前記振動吸収体によりヘッドバンド本体の端部を内側と外側から挟んで一体化する構造にしたことを特徴とする聴覚検査用ヘッドホン。
【請求項３】
請求項１に記載の聴覚検査用ヘッドホンにおいて、前記ヘッドバンドの全部または前記骨導受話器との連結部を振動吸収体で被覆したことを特徴とする聴覚検査用ヘッドホン。
【請求項４】
請求項１に記載の聴覚検査用ヘッドホンにおいて、さらに前記気導受話器と前記ヘッドバンドとの連結部を振動吸収体で被覆したことを特徴とする聴覚検査用ヘッドホン。
【発明の詳細な説明】
【０００１】
【発明の属する技術分野】
本発明は、耳鼻科の診療において用いられる聴覚検査用ヘッドホンに関する。
【０００２】
【従来の技術】
耳鼻科の診療おいて用いられる聴覚検査用ヘッドホンには、気導受話器を両側に装備した気導聴覚検査用ヘッドホン、一方に気導受話器、他方に骨導受話器を装備したマスキング用骨導聴覚検査用ヘッドホン、一方に頭部パッド、他方に骨導受話器を装備した骨導聴覚検査用ヘッドホンがある。
【０００３】
図６は、従来の聴覚検査用ヘッドホンの一例の正面図であって、上記の内のマスキング用骨導聴覚検査用ヘッドホンの例を示している。
【０００４】
この聴覚検査用ヘッドホン１５０を使用するときには、ヘッドバンド１３０を頭部に装着し、気導受話器１１０を一方の耳に、骨導受話器１２０を他方の耳の後ろ側にある乳突部（マストイド）に当てるようにする。こうして、骨導受話器１２０を振動させると乳様突起部より頭蓋骨に骨導音が伝わり、これが直接骨導受話器１２０を当てた側の内耳を刺激して音として認識されるのを検査するようになっている。
【０００５】
しかしながら、この聴覚検査用ヘッドホン１５０では、ヘッドバンド１３０を頭部に装着する弾性力を与える芯金１３１、この芯金１３１の両端に設けられた支持筒１３３、この支持筒１３３にそれぞれ位置決め可能に嵌挿される調整軸１１３、１２４、この調整軸１１３、１２４に連結された支持部材１１２、１２２、１２３によって、受話器本体１１１、１２１が支持されており、これらの部材は金属もしくは硬質樹脂素材によって構成され、連結されているため、骨導受話器１２０の振動がヘッドバンド１３０を介して反対側の耳にも伝わり、これが気導音として聞こえ、認識されることがあり、検査に悪影響を与えていた。
【０００６】
図７は、（ａ）従来の聴覚検査用ヘッドホンの他例の正面図、（ｂ）要部詳細図、（ｃ）調整板断面図であって、このようなを骨導振動の伝播の問題を解決せんとしたもので、実開平１−４０９８６号公報に記載されたものである。
【０００７】
この聴覚検査用ヘッドホン２５０は、気導受話器２１０、受話器本体２２１、支持部材２２２、調整板２２３から構成される骨導受話器２２０、この両者を頭部に装着するためのヘッドバンド２３０からなり、支持部材２２２とヘッドバンド２３０を調整可能に連結する調整板２２３が、中央の制振部材２２３ｂを両側の金属部材２２３ａでサンドイッチ状に挟んだ構成とされ、受話器本体２２１の骨導振動が、ヘッドバンド２３０に伝播されにくくなっている。
【０００８】
しかしながら、この聴覚検査用ヘッドホン２５０は一定程度の防振効果はあるものの、なお、調整板２２３の外側の金属部材２２３ａに、支持部材２２２とヘッドバンド２３０が直接接触して連結されており、この金属部材２２３ａを介しての骨導振動の伝播を防ぐことは出来なかった。
【０００９】
【発明が解決しようとする課題】
本発明は、上記のような問題を解決しようとするもので、振動発生側受話器の振動がヘッドバンドを介して反対側受話器に伝播されるのを防止し、また、被験者の体動による振動が受話器に伝わるのを防止することができる聴覚検査用ヘッドホンを提供することを目的としている。
【００１０】
【課題を解決するための手段】
請求項１に記載の聴覚検査用ヘッドホンは、被験者の頭部に装着して用いられ、被験者の耳部に装着される気導受話器、骨導受話器と、これらの受話器を被験者の頭部に装着するためのヘッドバンドを備え、前記ヘッドバンドと前記骨導受話器の連結部に振動吸収体を介在させて連結したことを特徴とする。
【００１１】
ここで、振動吸収体は、聴覚検査用ヘッドホンの種類に応じて、ヘッドバンドの両側に設ける気導受話器、骨導受話器、気導聴力検査器、頭部パッドのいずれか一方と、ヘッドハンドとの間だけに設けても良いし、両方との間に設けてもよい。また、「振動吸収体を介して」とは、振動を伝播するような金属材、硬質樹脂素材が連結部で直接接触せず、必ず、振動吸収体が間に介在するという意味である。
【００１２】
この聴覚検査用ヘッドホンは、気導受話器、骨導受話器とヘッドバンドとを、振動吸収体を介して連結するようにしたので、骨導受話器で発生した振動がヘッドバンドを介して反対側へ伝播したり、被験者の体動などが気導受話器に伝播したりすることがなく、聴覚検査に悪影響を与えるようなことがない。
【００１３】
請求項２に記載の聴覚検査用ヘッドホンは、請求項１に記載の聴覚検査用ヘッドホンにおいて、前記ヘッドバンドと骨導受話器の連結部は、前記振動吸収体によりヘッドバンド本体の端部を内側と外側から挟んで一体化する構造にしたことを特徴とする。
【００１４】
請求項３に記載の聴覚検査用ヘッドホンは、請求項１に記載の聴覚検査用ヘッドホンにおいて、前記ヘッドバンドの全部または前記骨導受話器との連結部を振動吸収体で被覆したことを特徴とする。
この聴覚検査用ヘッドホンは、振動吸収体を介在させる一態様として、ヘッドバンドの全部または受話器との連結部を振動吸収体で被覆するようにしたので、請求項１と同様の効果を発揮することが出来る。
【００１５】
請求項４に記載の聴覚検査用ヘッドホンは、請求項１に記載の聴覚検査用ヘッドホンにおいて、さらに前記気導受話器と前記ヘッドバンドとの連結部を振動吸収体で被覆したことを特徴とする。
【００１６】
この聴覚検査用ヘッドホンは、振動吸収体を介在させる別態様として、気導受話器あるいは骨導受話器のヘッドバンドとの連結部を振動吸収体で被覆するようにしたので、請求項１と同様の効果を発揮することが出来る。
【００１７】
【発明の実施の形態】
添付図面を参照しつつ、本発明の実施の形態について説明する。
【００１８】
図１（ａ）は本発明の聴覚検査用ヘッドホンの一例の正面図、（ｂ）は（ａ）のＡ矢視図、図２は図１（ａ）の聴覚検査用ヘッドホンの連結部の分解図、（ｂ）は縦断面図である。
【００１９】
この聴覚検査用ヘッドホン５は、被験者の頭部に装着して使用されるヘッドホンタイプのマスキング用骨導聴力検査器であり、空気振動の聴覚を検査するための気導受話器１、骨導振動の聴覚を検査するための骨導受話器２、これらの受話器１、２を支持し、この検査器を頭部に装着する際に弾性力を与えるヘッドバンド３、ヘッドバンド３と骨導受話器２との連結に際して、この両者の間に振動吸収体４を介在させている。
【００２０】
気導受話器１は、内部に気導振動体を備え耳を覆うようにして用いられる受話器本体１１、この受話器本体１１を回動可能に支持する支持部材１２、支持部材１２を支持する調整棒１３を備えている。骨導受話器２は、骨導振動体を備え乳突部に当てて用いられる受話器本体２１、この受話器本体２１を回動可能に支持する支持部材２２、２３、支持部材２３を支持する調整棒２４を備えている。
【００２１】
ヘッドバンド３は、弾性を有する金属で構成され、その両端部に、気導受話器１、骨導受話器２を連結できるようになっているバンド本体３１、これらの受話器１、２を連結するためのプレート３２、調整体３３を備えている。この調整体３３は、気導受話器１の調整棒１３、骨導受話器２の調整棒２４をスライド位置決め可能に支持するようになっており、これによって、気導受話器１、骨導受話器２がヘッドバンド３に対して出し入れ可能となって、被験者の頭と耳に合わせて気導受話器１、骨導受話器２の位置を調整することができる。
【００２２】
振動吸収体４は、この例では、ヘッドバンド３のバンド本体３１の一つの端部３１ａを内側と外側から挟む２つのプレート４１、４２から構成されており、これらを更に、内側からプレート３２で、外側から調整体３３で挟んで、プレート３２側からネジ３２ａを用いて、これらをサンドイッチ状に一体化している。
【００２３】
振動吸収体４を構成するプレート４１、４２の素材は、柔らかく、振動を吸収するゴム、発泡性樹脂などが適当である。
【００２４】
図２では、この組み付け状態をより詳しく説明しており、プレート４２には、同じ材料で構成された突起４２ａが設けられ、この突起４２ａが、バンド本体３１の端部３１ａに設けられた連結孔３１ｂに嵌合しており、ネジ３２ａは、プレート３２、４１、プレート４２の突起４２ａを貫通して、調整体３３に設けられたネジ穴に達している。
【００２５】
このようにして、金属材や硬質樹脂でできている、ヘッドバンド３のバンド本体３１と、骨導受話器２の調整棒２４を支持している調整体３３とは、直接連結されず、完全に振動吸収体４を介して連結されている。したがって、骨導受話器２の受話器本体２１の振動が効果的に遮断され、この振動がヘッドバンド３を介して気導受話器１に伝播などして、聴覚検査に悪影響を与えるようなことがない。
【００２６】
図３は、本発明の聴覚検査用ヘッドホンの他例の正面図である。なお、これより、すでに説明した部分と同じ部分には、同一の符号を付して重複説明を省略する。
【００２７】
この聴覚検査用ヘッドホン５Ａは、図１の聴覚検査用ヘッドホン５に比べて、マスキング用骨導聴力検査器ではなく、気導聴力検査器であり、両側の気導受話器１の一方が、振動吸収体４を介してヘッドバンド３と連結されている点が異なる。
【００２８】
この場合には、振動吸収体４を介してヘッドバンド３に連結された気導受話器１Ｒの振動が、他方の気導受話器１Ｌに伝播されず、また、被験者の体動などもヘッドバンド３を介して気導受話器１Ｒに伝播されることがなく、聴覚検査に悪影響を与えるようなことがない。なお、以下でも、ここで用いた様に、同一のものが左右に設けられている場合、必要に応じて、図面上で右のものに「Ｒ」、左のものに「Ｌ」を付して区別する。
【００２９】
図４（ａ）、（ｂ）は本発明の聴覚検査用ヘッドホンの他例の要部破断図、（ｃ）も本発明の聴覚検査用ヘッドホンの他例の正面図である。
【００３０】
図４（ａ）の聴覚検査用ヘッドホンは、ヘッドバンド３Ａが、弾性体である芯金３１Ａの全体を振動吸収体４３で覆ったものである点を特徴としている。このヘッドバンド３Ａの端部３１Ａａに、これに対応した調整体３３Ａをネジ止めするようにしても、図示するように、気導受話器１を支持する調整体３３Ａとヘッドバンド３Ａとは、完全に振動吸収体４３を介して連結され、気導受話器１の振動が、他方に伝播されず、また、被験者の体動などもヘッドバンド３Ａを介して気導受話器１に伝播されることがなく、聴覚検査に悪影響を与えるようなことがない。
【００３１】
図４（ｂ）の聴覚検査用ヘッドホンは、図４（ａ）のものに比べ、ヘッドバンド３Ｂの芯金３１Ｂの端部、つまり連結部３１Ｂａだけを振動吸収体４４で覆った点で異なっている。このようにしても、振動の伝播が問題となるのは、連結部だけであるので、図４（ａ）のものと同様の効果を発揮する。
【００３２】
図４（ｃ）の聴覚検査用ヘッドホン５Ｂは、ヘッドバンド３Ｃの連結部３１Ｃａは、部分断面図で示す様に、図４（ａ）、（ｂ）の連結体３３Ａに相当する部分も一体に振動吸収体４５で覆い、この振動吸収体４５の一部が連結体も兼ねている点を特徴とする。このようにしても、同様に振動伝播の問題を解決することができると共に、連結体３３Ａが不要になるので、コストダウンを図ることができる。
【００３３】
また、全体を振動吸収体で覆ったヘッドバンド３Ａ、３Ｃの場合には、この聴覚検査用ヘッドホンの取り扱いや装着の際の感触が柔らかくなり、また、見た目にも柔らかい印象を与えることができる。
【００３４】
図５（ａ）は本発明の聴覚検査用ヘッドホンの他例の正面図、（ｂ）は連結部の縦断面図である。
【００３５】
この聴覚検査用ヘッドホン５Ｃは、図４（ｂ）のように、受話器２とヘッドバンド３の連結部を振動吸収体で覆うものであるが、被覆対象がヘッドバンド３側ではなく、受話器２側である点が異なる。この例では、調整棒２４と支持部材２３の連結部に振動吸収体４６を介在させており、このようにしても振動の問題を解決することができる。
【００３６】
なお、振動吸収体を介在させる連結部は、この例に限らず、受話器本体２１、支持部材２１、２２、調整棒２４のいずれの間の連結部であっても良い。
【００３７】
【発明の効果】
請求項１に記載の聴覚検査用ヘッドホンによれば、気導受話器、骨導受話器とヘッドバンドを備え、前記ヘッドバンドと前記骨導受話器の連結部に振動吸収体を介在させて連結するようにしたので、骨導受話器で発生した振動がヘッドバンドを介して反対側へ伝播したり、被験者の体動などが気導受話器に伝播したりすることがなく、聴覚検査に悪影響を与えるようなことがない。
また、請求項２に記載の聴覚検査用ヘッドホンによれば、前記ヘッドバンドと骨導受話器の連結部は、前記振動吸収体によりバンド本体の端部を内側と外側から挟んで一体化する構造にしたので、請求項１と同様の効果を発揮する。
【００３８】
請求項３に記載の聴覚検査用ヘッドホンによれば、請求項１の効果にくわえ、振動吸収体を介在させる一態様として、ヘッドバンドの全部または前記骨導受話器との連結部を振動吸収体で被覆するようにしたので、請求項１と同様の効果を発揮する。
【００３９】
請求項４に記載の聴覚検査用ヘッドホンによれば、請求項１の効果に加え、振動吸収体を介在させる別態様として、さらに前記気導受話器と前記ヘッドバンドとの連結部を振動吸収体で被覆するようにしたので、請求項１と同様の効果を発揮する。
【図面の簡単な説明】
【図１】（ａ）本発明の聴覚検査用ヘッドホンの一例の正面図、（ｂ）Ａ矢視図
【図２】（ａ）本発明の聴覚検査用ヘッドホンの連結部の分解図、（ｂ）縦断面図
【図３】本発明の聴覚検査用ヘッドホンの他例の正面図
【図４】（ａ）、（ｂ）本発明の聴覚検査用ヘッドホンの他例の要部破断図、（ｃ）本発明の聴覚検査用ヘッドホンの他例の正面図
【図５】（ａ）本発明の聴覚検査用ヘッドホンの他例の正面図、（ｂ）連結部の縦断面図
【図６】従来の聴覚検査用ヘッドホンの一例の正面図
【図７】（ａ）従来の聴覚検査用ヘッドホンの他例の正面図、（ｂ）要部詳細図、（ｃ）連結部断面図
【符号の説明】
１            気導受話器
２            骨導受話器
２３、２４    連結部
３            ヘッドバンド
３１Ｂａ      連結部
４            振動吸収体
５            聴覚検査用ヘッドホン
【図１】
0003712579.tif 000002
【図２】
0003712579.tif 000003
【図３】
0003712579.tif 000004
【図４】
0003712579.tif 000005
【図５】
0003712579.tif 000006
【図６】
0003712579.tif 000007
【図７】
0003712579.tif 000008